(57)【要約】【課題】除草装置の部品点数を少なくし、除草作用部の作用力を多様に強弱調整できる除草ユニット構造を提供する。【解決手段】一連の鋼線材からなり、作業機枠体への中央取付け部を共有する左右の除草タイン杆の各々にトーションコイル部を設け、左右トーションコイル部の巻き径を異径に形成する。巻き径の異なる左右トーションコイル部の取付け側先端を並列に揃え、左右トーションコイル部の中心点を前後にずらして配設するとともに、左右コイル部後端の除草作用部が前後に離れて接地するようにする。他方、左右コイル部の巻き数を任意に設定して横並びに配設した左右コイル部後方のタイン作用部に均一の作用力を付与させてもよい。【選択図】図８
2013215151.tif 000002
【特許請求の範囲】
【請求項１】
一連の鋼線材からなり、作業機枠体への中央取付け部（６）を共有する左右除草タイン杆（７）、（８）の各々にトーションコイル部（７ａ）、（８ａ）を設け、左右トーションコイル部（７ａ）、（８ａ）の巻き径を異径に形成したことを特徴とするカルチベータ用タイン式除草装置のタイン構造
【請求項２】
巻き径の異なる左右トーションコイル部（７ａ）、（８ａ）の取付け側先端を並列に揃えて左右トーションコイル部（７ａ）、（８ａ）のコイル中心（７ｃ）、（８ｃ）を前後にずらすとともに、小径コイル部（７ａ）を設けたタイン後端の接地作用部（７ｂ）を、大径コイル部（８ａ）を設けたタイン後端の接地作用部（８ｂ）よりも後方へ延長させたことをさらに特徴とする請求項１記載のカルチベータ用タイン式除草装置のタイン構造
【発明の詳細な説明】
【技術分野】
【０００１】
本発明はカルチベータに取付けられるタイン式除草装置のタインの構造に関し、詳細には、一連の線素材からなる単一の除草タインユニットで複数の除草作用部を得ることができ、各作用部の作用力を任意に強弱調整することができるダブルトーションばね構造に関する。
【背景技術】
【０００２】
カルチベータに取付けて使用するタイン式除草装置は、トラクターなどに牽引される横長バーに連結した各中骨ビームの後部に複数の除草タイン群を並列に配設し、広い圃場の地表面に所望の作用圧で接触させながら牽引することにより地面から雑草を離脱させる装置が多用されている。
従来、この種のタイン除草装置には単一の除草作用部を有する多数のタインユニットを並列に配置する構造のものが多用されていたが、部品点数が多くなり、組付け作業も煩雑になる。このため、共有の取付け部を有する単一の除草タインユニットに複数の除草作用部を形成して作業効率を向上させることを目的として、共有の取付け基部を有する左右タインの各々にトーションコイル部を形成したダブルトーションばね群の使用が提案されている。
【先行技術文献】
【特許文献】
【０００３】
特開２００５−２８７３６６号公報
【発明の概要】
【発明が解決しようとする課題】
【０００４】
提案されているダブルトーションばねは、左右のトーションコイル部の巻き径が同じため、左右タイン長さを同じくして先端の作用部を並列に揃えることにより、左右タインの接地除草作用力を均一にすることができる。しかし、この構造では各タイン作用部の間隔が狭くなるため夾雑物の通り抜けが阻害され、除草作業に支障をきたすという問題がある。
【０００５】
これを防止するために左右タインを短タインと長タインに形成して作用点を前後にずらし、ダブルトーションばね群の作用部を千鳥状にして隣り合うタインの間隔を広くすることが考えられるが、左右コイルトーションコイル部の巻き径が同じ短タインと長タインの除草作用圧は前者が強く、後者が弱くなるため左右の除草作用部に均一な作用力が得られないという問題が生じる。
【０００６】
なお、ダブルトーションばねの左右コイルの巻き数を変えることで作用力を調整することも考えられるが、巻き数変更では微少なトルク調整が困難なため根本的な解決にはならない。
【０００７】
さらに、中央取付け部を共有するダブルトーションばねは、支持フレームへの位置決めやずれ防止のために左右トーション部のコイル部先端を揃えて支持体に接触させて取付け部を固定する必要があることと、左右コイル部は同時に成形するのが一般的であったことが相俟って、当業界では左右コイル部を同径とするのが支配的であり、これを異径に構成するという技術思想はなかった。
【０００８】
したがって本発明の目的は、少ない部品点数で複数の除草作用部を得ることができるとともに、各作用部の作用力を任意に強弱調整でき、加えて除草タイン間の夾雑物の問題も解消することができるタイン式除草装置のタイン構造を提供することにある。
【課題を解決するための手段】
【０００９】
上記の目的を達成するために、本発明による除草タイン構造の基本的技術思想は、請求項１に記載したように、一連の鋼線材からなり、作業機枠体への中央取付け部を共有する左右除草タイン杆の各々にトーションコイル部を設け、左右トーションコイル部の巻き径を異径に形成して各々の除草作用部の作用力を多様に強弱調整できるようにしたことを特徴とする。
【００１０】
本発明の請求項２記載の除草タイン構造は、請求項１記載の除草タインにおいて、さらに、巻き径の異なる左右トーションコイル部の取付け側先端を並列に揃えて左右トーションコイル部のコイル中心を前後にずらすとともに、小径コイル部を設けたタイン後端の接地作用部を、大径コイル部を設けたタイン後端の接地作用部よりも後方へ延長させたことをさらに特徴とする。
【発明の効果】
【００１１】
本発明の除草タイン構造は、一連の鋼線材で中央取付け部を共有する単一ユニットを複数の除草作用を有するダブルトーションばねに形成するとともに、左右トーションコイル部の巻き径を異形に形成することにより、取付け基端から各タインの作用部までの長さや左右各コイル部の巻き数の加減と相俟って左右タイン作用力を微妙に調整できので、少ない部品点数でタイン作用部の除草作用力を多様に強弱調整することができるとともに、タイン作用部への夾雑物の堆積を防止する効果もある。
なお、ここで言う「多様な強弱調整」とは左右作用部の作用力を均一にする場合に限らず、必要に応じて左右作用部の作用力に差異を持たせる場合を含むことを意味する。
【００１２】
とくに、請求項２記載の発明のように、左右トーションコイル部の巻き径を異形に形成し、小径コイル部を設けたタイン後端の接地作用部を、大径コイル部を設けたタイン後端の接地作用部よりも後方へ延長させることにより、夾雑物の干渉を避け、しかも左右タイン後端の接地作用部の作用力を均一に保持することができる。
【図面の簡単な説明】
【００１３】
【図１】タイン式除草装置を装着したカルチベータの概観図
【図２】図１の要部拡大図
【図３】本発明の一実施例による除草タインユニットの平面図
【図４】図３実施例による除草タインユニットの斜視図
【図５】図３実施例による除草タインユニットの側面図
【図６】本発明の他の実施例による除草タインユニットの平面図
【図７】図６実施例による除草タインユニットの斜視図
【図８】図６実施例による除草タインユニットの取付け状態側面図
【発明を実施するための形態】
【００１４】
以下、本発明の実施例を添付の図面に基づいて説明する。
一般にタイン式除草装置は図１、図２に示すように、トラクター（図は省略）などで牽引されるカルチベータ１の中骨ビーム２後端に連結したアーム５の支持フレーム３に複数の除草タインユニット４を並列に取付け、カルチベータ１を牽引して各除草タイン後端の除草作用部を所望の作用力で圃場面に設置させながら前進させることにより地表面から雑草を引き離すように構成されている。
【００１５】
図３以下に示すように本発明による除草タインユニット４の基本構造は、一連の鋼線材を使用し、共有部として形成した中央取付け部６の左右除草タイン杆７、８にそれぞれのトーションコイル部７ａ、８ａを有するダブルトーションばねに形成するとともに、左右のトーション部を巻き径の異なるトーションコイル部７ａ、８ａに形成したことにある。
【００１６】
トーションコイル部７ａ、８ａはコイル巻き径を大きくするほど発生トルクは小さくなり、巻き径を小さくするほど発生トルクは大きくなる。
他方、トーションコイル部７ａ、８ａ後方のタイン杆は短くするほど地表への作用力が強くなり、長くするほど作用力が弱くなる。
この性質を本発明の前記基本構造に利用することによりダブルトーションばねの除草作用部の作用力を任意に強弱調整することができる。
【００１７】
例えば、図３ないし図５に示すように、ダブルトーションばねの左右トーションコイル部７ａ、８ａの後方の除草作用部７ｂ、８ｂを横並びに揃えた実施例ではトーションコイル部７ａ、８ａの巻き径が異左右トーションコイル部の巻き径を異形に形成なるため除草作用部７ｂ、８ｂの作用力に強弱の違いが生ずる。従ってそのような作用力の違いが必要な状況下ではそれ相応に有用であり、巻き径を異径にしたことによる一つの評価となり得る。
【００１８】
しかしながら、一般に除草作用部７ｂ、８ｂの後端を揃えると、作用部７ｂ、８ｂの間隔が狭くなり夾雑物の干渉を受ける。これを避けるために除草作用部７ｂ、８ｂを前後に離して接地させると、左右トーションコイル部７ａ、８ａの巻き径が同じ構造では左右除草作用部７ｂ、８ｂの作用力を均一に保つことができなくなり、均一が求められる状況下では利用できない。
【００１９】
図６ないし図８はこの問題を解消した実施例を示すもので、各トーションコイル部７ａ、８ａの先端の作用部７ｂ、８ｂを前後に離して接地させても、左右トーションコイル部７ａ、８ａの巻き径を相互に異径に形成したことによって、各トーションコイル部７ａ、８ａの除草作用部７ｂ、８ｂに均一の作用力が付与され、且つ、隣り合う除草作用部７ｂ、８ｂ間に夾雑物が挟まりにくい構成にしたものである。
すなわち、図６ないし図８の実施例は、左右トーションコイル部７ａ、８ａの巻き径を異形に形成し、小径トーションコイル部７ａ後方の作用部７ｂを大径トーションコイル部８ａ後方の除草作用部８ｂよりも後方へ所定長さ延長させ、前後に位置をずらせた除草作用部７ｂ、８ｂに均一の作用力が働くように構成してある。
【００２０】
この実施例では、共有取付け部６の後方の左右除草タイン杆７、８に巻き径の異なるトーションコイル部７ａ、８ｂを形成した除草タインユニット４を支持フレーム３の所定位置に安定した状態に固着するには、図８に示すように、各トーションコイル部７ａ、８ａの中心７ｃ、８ｃを前後にずらし、各トーションコイル部７ａ、８ａの先端を揃えて支持フレーム３に当接させるのが有利である。
なお、この実施例において除草作用部７ｂ、８ｂの前後間隔をどの程度に設定するかはトーションコイル部７ａ、８ａの巻き径、使用する鋼線素材等と関連するもので、これらの要素を総合的に考慮して設計されるべきものである。
【００２１】
なお、図の実施例は、ダブルトーションばねのトーションコイル部後方に設けた左右除草作用部の作用力を均一にする場合を例示して説明したが、本発明はこれに限定されるものではなく、必要に応じて左右作用部の作用力を強弱調整したいときに広く、且つ、多様に適用され得るものである。
【産業上の利用可能性】
【００２２】
本発明は単一の除草ユニットに複数のコイル部と除草作用部を一体に設け、各コイル部の巻き径を異径に形成するので、少ない部品点数で除草装置を構成できるとともに、除草作用部の作用力を多様に強弱調整することができ、加えて、左右作用部間への夾雑物干渉を防止できるなどの多種機能を備え、カルチベータを使用する広い圃場の除草作業に広く応用できる。
【符号の説明】
【００２３】
１…カルチベータ
２…中骨ビーム
３…支持フレーム
４…除草タインユニット
５…アーム
６…中央取付け部
７、８…除草タイン杆
７ａ、８ａ…トーションコイル部
７ｂ、８ｂ…除草作用部
７ｃ、８ｃ…コイル中心
【図１】
2013215151.tif 000003
【図２】
2013215151.tif 000004
【図３】
2013215151.tif 000005
【図４】
2013215151.tif 000006
【図５】
2013215151.tif 000007
【図６】
2013215151.tif 000008
【図７】
2013215151.tif 000009
【図８】
2013215151.tif 000010